(57)【要約】【課題】  釣竿全体の長さを調整するズーム長さの自由度を高めつつ、操作性等に優れる釣竿を提供する。  【解決手段】  この釣竿の元竿１の穂先側には元上竿２が振出形式で連結されている。元竿１は穂先側端部の内周面に形成された嵌合雌部１ａを有する。元上竿２は、竿元側端部より穂先側に離れた外周面に形成された第１嵌合雄部２ａと、第１嵌合雄部２ａの穂先側の外周面に形成された第２嵌合雄部２ｂとを有すると共に、竿元側端部に装着されたリング１１をしている。このリング１１は外周面に外方向に突出した弾性を有するリブ１１ａを有し、リブ１１ａの頭端が元竿１の内周面に当接し、がた止めとなっている。【選択図】  図３
2005102586.tif 000002
【特許請求の範囲】
【請求項１】
管状体である大径竿体と、前記大径竿体の穂先側に出し入れ自在に連結された管状体である小径竿体とを少なくとも備え、
前記大径竿体は、穂先側端部の内周面に形成された嵌合雌部を有し、
前記小径竿体は、竿元側端部より穂先側の外周面に形成された第１嵌合雄部と、前記第１嵌合雄部の穂先側の外周面に形成された第２嵌合雄部とを有すると共に、竿元側端部に装着されたリング部材を有し、
前記リング部材は外周面に外方向に突出した弾性を有するリブを有し、前記リブの頭端が前記大径竿体の内周面に当接している、釣竿。
【請求項２】
前記リング部材のリング部分の外径と内径とはそれぞれ前記小径竿体の竿元側端部の外径と内径とに等しく、
前記小径竿体は、その竿元側端部内周面に螺着若しくは嵌着する挿入部分と前記挿入部分の竿元側に形成される頭部分とからなる装着部材をさらに備え、
前記リング部材は前記挿入部分の外面に配置され前記小径竿体の竿元側端部と頭部分との間に挟持されている、請求項１に記載の釣竿。
【請求項３】
前記リング部材のリング部分の内径は前記小径竿体の竿元側の外周面に合致しており、前記リング部材は前記小径竿体の竿元側の外周面に外嵌されている、請求項１に記載の釣竿。
【発明の詳細な説明】
【技術分野】
【０００１】
本発明は、振出形式で連結される竿体を相互に連結する際の連結構造に関する。詳しくは、特定の竿体同士を収納状態，延伸状態の何れにおいても相互に連結固定可能として、釣竿全体の長さを調整可能とした釣竿に関するものである。
【背景技術】
【０００２】
振出形式と呼ばれるタイプの釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
このような従来の振出形式の釣竿には、竿全体の長さを変化させて釣りを行えるように工夫したものがある。このように工夫された釣竿は、例えば、最も竿元側に位置する元竿とその穂先側に連結される元上竿とに関して以下のようなものとなっている。
【０００４】
即ち、この釣竿は、穂先側端部内周面に嵌合雌部を有する元竿と、竿元側端部外周面に第１嵌合雄部を有しつつ長手方向中央付近の外周面に第２嵌合雄部を有する元上竿とを有する。そして、この釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることができる（特許文献１参照）。こうして、元竿と元上竿とは「延伸状態」，「収納状態」のいずれの状態においても互いに嵌合固定可能であり、状況に応じて釣竿全体の長さを変化させて釣りを行うことができる。
【特許文献１】特開２０００−２６２１８９号公報（第１〜第２欄，図１，図２）
【発明の開示】
【発明が解決しようとする課題】
【０００５】
上述の釣竿全体の長さを調整可能な釣竿においては、以下のような問題がある。
【０００６】
上述の釣竿全体の長さを調整可能な釣竿では、元竿内に収納される元上竿の軸方向長さが、「延伸状態」と「収納状態」との長さの差（以下、「ズーム長さ」という）となって顕れる。つまり、元竿の軸方向長さがズーム長さを規定することになってしまう。何故なら、元竿には、その穂先側の周面にリールを脱着自在に装着するためのリールシートを配置し、竿元側端部に釣人が把持するためのグリップ部分等を設ける。また、リールシートの竿元側を釣人が脇に挟んでリール操作等を行う場合もある。従って、元竿の軸方向長さはある程度の長さに制限される（例えば、６０ｃｍ程度の長さが必要となる）。このように元竿の軸方向長さが規定されると、これに従ってズーム長さも規定されてしまうのである（例えば、上述の例では、ズーム長さが６０ｃｍ程度となってしまう）。
【０００７】
しかし、釣竿の種類によってはあまり長いズーム長さを有すると、釣竿の操作性能上好ましくない結果が生じる恐れがある。例えば、あまりズーム長さが長いと、延伸状態と収納状態との間で使用に際して竿の調子が大きく変化してしまう恐れがある。また、船の上で利用する船竿などにあっては、ズーム長さが長すぎると好ましくない。例えば、船竿のように、釣竿の全長が比較的短い釣竿（例えば、船竿は釣竿全長が２０００〜４０００ｍｍ程度である）にあっては、５０〜６０ｃｍ程度も「ズーム長さ」を設定すると釣りをおこなう際の操作性を損なうと共に、ズーム操作の操作性も低下する恐れがある。
【０００８】
そこで、ズーム長さの設計の自由度を大きくすることが求められる。例えば、元上竿の軸方向の両端以外に嵌合雄部を形成して、延伸状態においても、元上竿の竿元側半分程度が元竿内に残存するような構造をとることも考えられる。
【０００９】
しかし、このような構造とすると、元竿と元上竿との径の差異から元竿内に残存する元上竿の竿元側端部が元竿内においてがたつき、ズーム操作の操作性に劣る恐れがある。
【００１０】
本発明の課題は、釣竿全体の長さを調整するズーム長さの自由度を高めつつ、操作性等に優れる釣竿を提供することにある。
【課題を解決するための手段】
【００１１】
本発明に係る釣竿は、管状体である大径竿体と、大径竿体の穂先側に出し入れ自在に連結された管状体である小径竿体とを少なくとも備えたものである。大径竿体は穂先側端部の内周面に形成された嵌合雌部を有し、小径竿体は、竿元側端部より穂先側の外周面に形成された第１嵌合雄部と、第１嵌合雄部の穂先側の外周面に形成された第２嵌合雄部とを有する。また、小径竿体は竿元側端部に装着されたリング部材を有している。このリング部材は外周面に外方向に突出した弾性を有するリブを有し、そのリブの頭端が大径竿体の内周面に当接している。
【００１２】
この釣竿では、大径竿体と小径竿体とに於いて、以下のような２つの状態において両者の軸方向を位置決めし、従って、釣竿全体の長さを調整して釣りをおこなうことができる。
【００１３】
まず、小径竿体の竿元側端部が大径竿体の竿元側端部に至るまで小径竿体を大径竿体内に穂先側から収納すると、第２嵌合雄部が嵌合雌部に嵌着し、両者は軸方向において位置決めされる（収納状態）。他方、小径竿体を大径竿体の穂先側に引き出すと、第１嵌合雄部が嵌合雌部に嵌着し、両者は軸方向において位置決めされる（延伸状態）。このような延伸状態においても、元上竿の竿元側端部は元竿の穂先側端部に位置せず、「ズーム長さ」は元竿の長さに制限されない。即ち、第１嵌合雄部と第２嵌合雄部との位置を自由に設定することで、「ズーム長さ」を任意に設定できるのである。
【００１４】
ここで、小径竿体の竿元側端部にはリング部材が装着されており、そのリブの頭端が大径竿体の内周面に常に当接している。このリング部材により、延伸状態〜収納状態の何れの状態においても大径竿体内に位置することになる小径竿体の竿元側端部にがたつきが生じない。
【００１５】
本発明の別の釣竿では、リング部材のリング部分の外径と内径とはそれぞれ小径竿体の竿元側端部の外径と内径とに等しくなっている。この小径竿体は、その竿元側端部内周面に螺着若しくは嵌着する挿入部分と挿入部分の竿元側に形成される頭部分とからなる装着部材をさらに備える。そして、このリング部材は挿入部分の外面に配置されており、小径竿体の竿元側端部と頭部分との間に挟持されている。
【００１６】
この釣竿では、装着部材を介してリング部材を小径竿体に装着する。別部材を介して小径竿体にリング部材を取り付けることで、リング部材の共通化が可能となる。
【００１７】
また、本発明の別の釣竿では、リング部材のリング部分の内径は小径竿体の竿元側の外周面に合致している。そして、リング部材は小径竿体の竿元側の外周面に外嵌されている。
【００１８】
この釣竿では、直接リング部材を小径竿体の外周面に取り付けることで、部品数の省略乃至構造の簡略化を図っている。
【発明の効果】
【００１９】
本発明の釣竿または竿体の連結構造を採用した釣竿では、釣竿全体の長さを調整しつつ状況に合わせて釣り操作を行うことができる。この際、元竿の長さにズーム長さが制約されることもない。そして、さらに、ズーム操作時に不要ながたつきも生じず、
【発明を実施するための最良の形態】
【００２０】
［第１実施形態］
以下、本発明の第１実施形態について図面を参照しつつ説明する。
【００２１】
本発明の第１実施形態を採用した釣竿は、図１に示すように、元竿１と、元竿１の穂先側に順次振出形式で連結される、元上竿２及び穂先竿３とを有している。もっとも、竿体の本数はこれに限定されるものではなく、必要に応じて任意数に設定できる。これら元竿１〜穂先竿３は炭素繊維またはガラス繊維等に合成樹脂を含浸させたプリプレグ素材から形成される先細りテーパの施された管状体である。
【００２２】
これらの竿体はいわゆる振出形式で連結されており、元上竿２及び穂先竿３は穂先側から順次竿元側の竿体の内部に挿入され出し入れ自在である。即ち、穂先竿３を元上竿２の穂先側に引き出した際には、穂先側に位置する穂先竿３の竿元側端部外周面と竿元側に位置する元上竿２の穂先側端部内周面とで相互に嵌着し、穂先側への抜け止め且つ相互の連結固定が可能となっている。また、元上竿２と元竿１とにあっては、後述のように、延伸状態，収納状態の何れの状態にあっても、相互に連結固定可能となっている。
【００２３】
元竿１は最も竿元側に配置される太径の管状体である。軸方向中央付近の周面にリールを脱着自在に装着可能なリールシート４が配置され、竿元側端部には尻栓５が脱着自在に装着されている。さらに、必要に応じて、リールシート４の穂先側や竿元側の周面には弾性体からなるグリップが装着される。例えば、このグリップとリールシート付近を釣人は把持し、リールシートの竿元側の周面を脇に挟みこんで釣り操作を行うことができる。
【００２４】
元上竿２の穂先側端部の外周面には固定ガイド６が装着される。必要に応じて、この固定ガイド６の竿元側には、元上竿２の周面を軸方向にスライド移動可能なスライドガイドを配置してもよい。穂先竿３にあっては、その穂先側端部にトップガイド（図示せず）が装着されており、トップガイドの竿元側には、穂先竿３の周面を軸方向にスライド移動可能なスライドガイドを配置する。そして、リールシート４に装着したリールＲからの釣糸は各種釣糸ガイドを挿通してトップガイドに導かれることになる。
【００２５】
次に、元竿１と元上竿２との連結構造について、詳しく説明する。
【００２６】
図２及び図３に模式的に示すように、元竿１及び元上竿２はそれぞれ一定の先細りテーパが施された管状体である。
【００２７】
元竿１は、例えば、その軸方向長さが６００ｍｍ程度である。この元竿１の竿元側端部には上述のように脱着自在に底栓５が装着されている。その装着手法は任意であるが、例えば、元竿１の竿元側端部内周面に直接ねじ溝を形成し、ここに底栓５を螺着させる。さらに、尻栓５の穂先側端面にはスポンジ材やゴム材などの緩衝材を取り付けてもよい。また、元竿１の穂先側端部内周面は嵌合雌部１ａとなっている。この嵌合雌部１ａ部分は比較的緩やかなテーパ部分である。嵌合雌部１ａの竿元側に隣接する領域は竿元側ほど大径化する比較的急なテーパ部分があり、さらに、その竿元側においては比較的緩やかなテーパ部分となっている。この嵌合雌部１ａには、後述のように、元上竿２が嵌着することになる。
【００２８】
元上竿２も先細りテーパの施された筒状体である。この元上竿２は元竿１に比べて軸方向長さは長く、例えば、その軸方向長さは９００〜１３００ｍｍ程度である。元上竿２の外周面には、以下の２つの嵌合雄部が形成されている。元上竿２の竿元側端部より穂先側に凡そ３００ｍｍ程度離れた位置に第１嵌合雄部２ａが形成されている。さらに、第１嵌合雄部２ａより穂先側に凡そ２５０〜３００ｍｍ程度離れた位置に第２嵌合雄部２ｂが形成されている。これらは、例えば、元上竿２の管状体部分を形成するプリプレグ素材に対して、さらに別途補助プリプレグを所定の軸方向位置に、部分的に巻回して焼成して形成される。即ち、第１嵌合雄部２ａ、第２嵌合雄部２ｂ部分は、他の部分に比較して大径化している。これら第１嵌合雄部２ａ及び第２嵌合雄部２ｂは、その外径を上述の元竿１の穂先側端部の嵌合雌部１ａ部分の内径にあわせて調整している。従って、上述のように、この嵌合雌部１ａには、元上竿２の第１嵌合雄部２ａ及び第２嵌合雄部２ｂがそれぞれ嵌着可能である。この第１嵌合雄部２ａと第２嵌合雄部２ｂとの間の軸方向距離が「ズーム長さ」に相当することになる。ここでは、上述のように、両者の軸方向距離を２５０〜３００ｍｍ程度にして、「ズーム長さ」を設定している。
【００２９】
また、図４に示すように、元上竿２の竿元側端部には、装着ピン１０とリング１１とが装着されている。装着ピン１０は、元上竿２の竿元側に挿入される挿入部分と、挿入部分の竿元側に形成され挿入部分より太径で且つ元上竿２の竿元側端部外径に合致するような外径の部分である頭部分とから構成されている。図４に示す例では、元上竿２の竿元側端部内周面にねじ溝を形成し、装着ピン１０の挿入部分の先端側をここに螺着させている。ここでは、装着ピン１０を元上竿２に対してねじ止めしているが、これに限定されるものではなく、嵌入止めでもよい。図４に示すような装着ピン１０を利用する場合には、挿入部分の頭部分側の一部には特にねじ溝を形成せず、リング１１を配置するための領域として、このねじ溝を形成していない部分を利用する。
【００３０】
リング１１は、図５に詳しく示すように、軸方向に貫通する貫通路を有するリング形状の部材である。そのリングの内径は上述の装着ピン１０の挿入部分にあわせて調整している。リング１１はそれ全体が弾性体（例えば、ポリウレタン系樹脂，シリコンゴム等）から形成される。リング１１の外周面には、軸方向に間隔を隔てて複数の円周全体に渡たるリブ１１ａが形成されている。詳しくは、リブ１１ａはそれぞれ頭端（径方向外方側）ほど幅狭になっている。このリブ１１ａは柔軟に屈曲するように幅を１．０〜０．３ｍｍ程度に設定している。頭端は鋭角化せず丸めてもよい。リブ１１ａを含めたリング１１の外径は元竿１の竿元側の内径にあわせて調整している。リブ１１ａ自体がその弾性により軸方向に屈曲し、元竿１の内径に変化に対応して内周面に当接する。このリング１１は、図４に示すように、装着ピン１０の上述の挿入部分の外周に配置され、元上竿２と装着ピン１０の頭部分とに挟持されることになる。
【００３１】
このように構成されている釣竿では、穂先竿３から順次穂先側に引き出して一本の長い釣竿として用いられる。使用後には、各竿体を順次手元側の竿体内に収納してコンパクトな状態にする。また、特に、元上竿２が元竿１の穂先側に引き出された延伸状態と、元上竿２が元竿１の内部に収納された収納状態とにおいて、この元上竿２と元竿１とは相互に連結固定して両者の軸方向を位置決め可能であり、釣竿全体の長さを調整しつつ釣り操作を行うことも可能である。各状態における具体的態様は以下の通りである。
【００３２】
延伸状態においては、図２に示すように、元竿１の嵌合雌部１ａと元上竿２の第１嵌合雄部２ａとが相互に嵌着する。これらの嵌合部分が元上竿２の元竿１に対する抜け止めとなっているとともに、相互の竿体の軸方向の位置決めをする。一方、収納状態においては、図３に示すように、元竿１の嵌合雌部１ａと元上竿２の第２嵌合雄部２ｂとが相互に嵌着する。こうして、元上竿２の第１嵌合雄部２ａと第２嵌合雄部２ｂとの距離を調整することで、元竿１の軸方向長さに関わらず、自由に「ズーム長さ」を設定できる。
【００３３】
なお、元上竿２の竿元側端部は何れの状態においても常に元竿１内に存在し、且つ、元竿１と元上竿２との径差があるので、元竿１の竿元側端部に「がたつき」が生じることにもなる。しかし、元上竿２のリング１１がそのリブ１１ａにより径差を調整して「がたつき」を抑え、ズーム操作を円滑にしている。
【００３４】
［第２実施形態］
第１実施形態の変形例を図６に示す。
【００３５】
この変形例では、元上竿２の竿元側端部に装着ピン１０を介してリング２１が装着されている。装着ピン１０については上記第１実施形態と同種でありその説明を省略する。
【００３６】
リング２１は、上記第１実施形態と同様に、それ全体が弾性体から形成される。リング２１の外周面には、周方向に間隔を隔てて複数の軸方向に延びるリブ２１ａが形成されている。リブ２１ａはその弾性により周方向に屈曲し、自在に外径を変化させ、第１実施形態と同様に、元竿１の内径の変化に応じてその内周面に当接する。
【００３７】
このようなリング２１を利用した場合であっても、上記第１実施形態と同様にズーム長さを自由に調整しつつ、その操作性の円滑化が可能である。
【００３８】
［第３実施形態］
さらに、別の変形例を図７に示す。
【００３９】
この変形例では、元上竿２の竿元側端部外周面にリング３１が嵌着している。即ち、このリング３１は内径を元上竿２の竿元側端部の外径にあわせて調整してある。リング３１自体は上記の実施形態と同様に、それ全体が弾性体から形成される。リング３１の外周面にはその軸方向中央付近に円周全体に渡ってリブ３１ａが形成されている。このリブ３１ａは上記第１実施形態と同種のものである。
【００４０】
このリング３１は直接元上竿２の外周面に装着して用いられる。なお、リング３１の内周面には元上竿２の周面での軸方向への滑り止めのために、滑り止め用のゴム層を別途形成してもよい。
【図面の簡単な説明】
【００４１】
【図１】本発明の第１実施形態を採用した釣竿の全体図。
【図２】図１の元竿１と元上竿２との延伸状態を模式的に示した図。
【図３】図１の元竿１と元上竿２との収納状態を模式的に示した図。
【図４】図１の元上竿２の竿元側端部の拡大断面図。
【図５】リング１１を示した図。
【図６】本発明の第２実施形態を採用したリング２１を示した図。
【図７】本発明の第３実施形態を採用したリング３１を示した図。
【符号の説明】
【００４２】
１  元竿
２  元上竿
１ａ  嵌合雌部
２ａ  第１嵌合雄部
２ｂ  第２嵌合雄部
１０  装着ピン
１１，２１，３１  リング
【図１】
2005102586.tif 000003
【図２】
2005102586.tif 000004
【図３】
2005102586.tif 000005
【図４】
2005102586.tif 000006
【図５】
2005102586.tif 000007
【図６】
2005102586.tif 000008
【図７】
2005102586.tif 000009